【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】画像処理装置および画像編集表示方法並びにこれらに用いるプログラム
【手続補正２】
【補正対象書類名】明細書
【補正対象項目名】特許請求の範囲
【補正方法】変更
【補正の内容】
【特許請求の範囲】
【請求項１】
画像に編集を施す画像処理装置であって、
画像を入力する入力手段と、
入力した画像に対して編集を施す編集手段と、
該編集手段により前記入力した画像に対して施した編集の内容に関する編集情報を作成する編集情報作成手段と、
前記入力した画像に前記作成した編集情報を編集情報付画像とする編集情報添付手段と、
前記編集情報添付画像を該編集情報添付画像に添付している編集情報に関連するマークと共に表示する表示手段と、
を備える画像処理装置。
【請求項２】
前記表示手段は、前記編集情報添付画像を前記編集情報に基づく編集が施されていない状態で該編集が施されていないことを表わす編集前マークと共に表示する編集前表示と、前記編集情報添付画像を前記編集情報に基づく編集が施された状態で該編集が施されていることを表わす編集済マークと共に表示する編集済表示と、を選択的に表示する手段である請求項１記載の画像処理装置。
【請求項３】
前記表示手段は、前記編集前表示が選択されている状態で前記編集前マークが操作されることにより前記編集済表示を選択して表示し、前記編集済表示が選択されている状態で前記編集済マークが操作されることにより前記編集前表示を選択して表示する手段である請求項２記載の画像処理装置。
【請求項４】
前記編集手段は、画像の印刷領域を設定する処理，画像の所望の箇所を修正する処理，画像のカラーおよび／またはトーンを調整する処理，画像に予め設定された特殊効果を施す処理のいずれか一つまたは複数を画像に対する編集として含む手段である請求項１ないし３いずれか記載の画像処理装置。
【請求項５】
前記編集情報作成手段は、前記編集手段が前記画像に対する編集として含む処理毎の情報に基づいて前記編集情報を作成する手段である請求項４記載の画像処理装置。
【請求項６】
前記編集手段は、画像に対する編集として含む複数の処理を順序だって行なう手段である請求項１ないし５いずれか記載の画像処理装置。
【請求項７】
前記編集情報作成手段は、前記編集手段が前記画像に対する編集として含む複数の処理の順序に基づいて前記編集情報を作成する手段である請求項６記載の画像処理装置。
【請求項８】
前記編集情報添付手段は、前記入力した画像に複数の編集情報を添付可能な手段である請求項１ないし７いずれか記載の画像処理装置。
【請求項９】
コンピュータを請求項１ないし８いずれか記載の画像処理装置として機能させるプログラム。
【請求項１０】
画像に編集を施して表示する画像編集表示方法であって、
（ａ）入力した画像に対して編集を施し、
（ｂ）前記画像に対して施した編集の内容に関する編集情報を作成し、
（ｃ）前記入力した画像に前記作成した編集情報を添付し、
（ｄ）前記編集情報が添付された画像を該添付している編集情報に関連するマークと共に表示する
画像編集表示方法。
【請求項１１】
前記ステップ（ｄ）は、前記編集情報が添付された画像を前記編集情報に基づく編集が施されていない状態で該編集が施されていないことを表わす編集前マークと共に表示する編集前表示と、前記編集情報が添付された画像を前記編集情報に基づく編集が施された状態で該編集が施されていることを表わす編集済マークと共に表示する編集済表示と、を選択的に表示するステップである請求項１０記載の画像編集表示方法。
【請求項１２】
前記ステップ（ｄ）は、前記編集前表示が選択されている状態で前記編集前マークが操作されることにより前記編集済表示を選択して表示し、前記編集済表示が選択されている状態で前記編集済マークが操作されることにより前記編集前表示を選択して表示するステップである請求項１１記載の画像編集表示方法。
【手続補正３】
【補正対象書類名】明細書
【補正対象項目名】０００１
【補正方法】変更
【補正の内容】
【０００１】
【発明の属する技術分野】
本発明は、画像処理装置および画像編集表示方法並びにこれらに用いるプログラムに関し、詳しくは、画像に編集を施す画像処理装置や画像編集表示方法並びにこれらに用いるプログラムに関する。
【手続補正４】
【補正対象書類名】明細書
【補正対象項目名】０００６
【補正方法】変更
【補正の内容】
【０００６】
【課題を解決するための手段およびその作用・効果】
本発明の画像処理装置および画像編集表示方法並びにこれらに用いるプログラムは、上述の目的の少なくとも一部を達成するために以下の手段を採った。
【手続補正５】
【補正対象書類名】明細書
【補正対象項目名】０００７
【補正方法】変更
【補正の内容】
【０００７】
本発明の画像処理装置は、
画像に編集を施す画像処理装置であって、
画像を入力する入力手段と、
入力した画像に対して編集を施す編集手段と、
該編集手段により前記入力した画像に対して施した編集の内容に関する編集情報を作成する編集情報作成手段と、
前記入力した画像に前記作成した編集情報を編集情報付画像とする編集情報添付手段と、
前記編集情報添付画像を該編集情報添付画像に添付している編集情報に関連するマークと共に表示する表示手段と、
を備えることを要旨とする。
【手続補正６】
【補正対象書類名】明細書
【補正対象項目名】０００８
【補正方法】変更
【補正の内容】
【０００８】
この本発明の画像処理装置では、入力した画像に対して編集を施し、その編集の内容に関する編集情報を作成して入力した画像に添付する。即ち、画像には、編集による変更等が加えられていない編集前の画像そのもののデータに編集内容が情報として含まれる編集情報が添付されることになる。こうした編集情報が添付された画像を受け取った機器では、編集情報に基づいて画像に編集を施し、編集後の画像として取り扱えばよい。こうした処理を行なうことにより、画像に編集を加えても画像そのもののデータは変更しなくてもよいことになる。したがって、段階的に分けて画像を編集しても編集情報を変更するだけでよいから、画像の画質が低下するのを抑止することができる。そして、本発明の画像処理装置では、編集情報添付画像を該編集情報添付画像に添付している編集情報に関連するマークと共に表示する。これにより編集前の画像が表示されているのか編集済の画像が表示されているのかを判別することができる。
【手続補正７】
【補正対象書類名】明細書
【補正対象項目名】０００９
【補正方法】変更
【補正の内容】
【０００９】
こうした本発明の画像処理装置において、前記表示手段は、前記編集情報添付画像を前記編集情報に基づく編集が施されていない状態で該編集が施されていないことを表わす編集前マークと共に表示する編集前表示と、前記編集情報添付画像を前記編集情報に基づく編集が施された状態で該編集が施されていることを表わす編集済マークと共に表示する編集済表示と、を選択的に表示する手段であるものとすることもできる。この場合、前記表示手段は、前記編集前表示が選択されている状態で前記編集前マークが操作されることにより前記編集済表示を選択して表示し、前記編集済表示が選択されている状態で前記編集済マークが操作されることにより前記編集前表示を選択して表示する手段であるものとすることもできる。また、前記編集手段は、画像の印刷領域を設定する処理，画像の所望の箇所を修正する処理，画像のカラーおよび／またはトーンを調整する処理，画像に予め設定された特殊効果を施す処理のいずれか一つまたは複数を画像に対する編集として含む手段であるものとすることもできる。この態様の本発明の画像処理装置において、前記編集情報作成手段は、前記編集手段が前記画像に対する編集として含む処理毎の情報に基づいて前記編集情報を作成する手段であるものとすることもできる。こうすれば、編集として含まれる処理毎の情報に基づいて編集情報が作成されるから、編集情報に基づいて画像に編集を施す際にも編集として含まれる処理毎の情報に基づいて編集を施すことができる。
【手続補正８】
【補正対象書類名】明細書
【補正対象項目名】００１４
【補正方法】変更
【補正の内容】
【００１４】
本発明の画像編集表示方法は、
画像に編集を施す画像編集方法であって、
（ａ）入力した画像に対して編集を施し、
（ｂ）前記画像に対して施した編集の内容に関する編集情報を作成し、
（ｃ）前記入力した画像に前記作成した編集情報を添付し、
（ｄ）前記編集情報が添付された画像を該添付している編集情報に関連するマークと共に表示する
ことを要旨とする。
【手続補正９】
【補正対象書類名】明細書
【補正対象項目名】００１５
【補正方法】変更
【補正の内容】
【００１５】
この本発明の画像編集表示方法によれば、入力した画像に対して編集を施し、その編集の内容に関する編集情報を作成して入力した画像に添付する。即ち、画像には、編集による変更等が加えられていない編集前の画像そのもののデータに編集内容が情報として含まれる編集情報が添付されることになる。こうした編集情報が添付された画像を受け取った機器では、編集情報に基づいて画像に編集を施し、編集後の画像として取り扱えばよい。こうした処理を行なうことにより、画像に編集を加えても画像そのもののデータは変更しなくてもよいことになる。したがって、段階的に分けて画像を編集しても編集情報を変更するだけでよいから、画像の画質が低下するのを抑止することができる。そして、本発明の画像編集表示方法では、編集情報が添付された画像を該添付している編集情報に関連するマークと共に表示する。これにより編集前の画像が表示されているのか編集済の画像が表示されているのかを判別することができる。こうした本発明の画像編集表示方法において、前記ステップ（ｄ）は、前記編集情報が添付された画像を前記編集情報に基づく編集が施されていない状態で該編集が施されていないことを表わす編集前マークと共に表示する編集前表示と、前記編集情報が添付された画像を前記編集情報に基づく編集が施された状態で該編集が施されていることを表わす編集済マークと共に表示する編集済表示と、を選択的に表示するステップであるものとすることもできる。この場合、前記ステップ（ｄ）は、前記編集前表示が選択されている状態で前記編集前マークが操作されることにより前記編集済表示を選択して表示し、前記編集済表示が選択されている状態で前記編集済マークが操作されることにより前記編集前表示を選択して表示するステップであるものとすることもできる。